(57)【要約】【課題】耳たぶから脱落しにくく、紛失しにくいイヤリングの提供。【解決手段】イヤリング１は、細長い糸状の金属を湾曲させることによって全体として略Ｕ字状に形成された留め具２と、この留め具２における正面側の先端に取り付けられた球状の装飾具３とを備えている。留め具２は、正面側の端部に形成される正面当接部２１と、背面側の端部に形成されるとともに、正面当接部２１と協働して耳たぶを挟み込む背面当接部２２とを備えている。また、留め具２は、正面当接部２１および背面当接部２２の間に形成された付勢部２３を備えている。付勢部２３は、耳たぶの左右方向を軸方向とする弦巻ばね状に留め具２を形成することによって、正面当接部２１と、背面当接部２２とを近接させる方向に付勢する。【選択図】図３
0003183834.tif 000002
【実用新案登録請求の範囲】
【請求項１】
耳たぶを前後から挟み込むことによって耳たぶに固定されるイヤリングであって、
耳たぶの正面から下方を通って背面まで至る形状に形成された留め具と、
前記留め具に取り付けられた装飾具とを備え、
前記留め具は、
耳たぶの正面に当接する正面当接部と、
耳たぶの背面に当接するとともに、前記正面当接部と協働して耳たぶを挟み込む背面当接部と、
前記正面当接部および前記背面当接部の間に形成されるとともに、前記正面当接部と、前記背面当接部とを近接させる方向に付勢する付勢部とを備えることを特徴とするイヤリング。
【請求項２】
請求項１に記載されたイヤリングにおいて、
前記付勢部は、耳たぶの左右方向を軸方向とする弦巻ばね状に前記留め具を形成することによって、前記正面当接部と、前記背面当接部とを近接させる方向に付勢することを特徴とするイヤリング。
【請求項３】
請求項２に記載されたイヤリングにおいて、
前記付勢部は、前記背面当接部側の位置に形成されていることを特徴とするイヤリング。
【請求項４】
請求項１から請求項３のいずれかに記載されたイヤリングにおいて、
前記正面当接部および前記背面当接部の少なくともいずれか一方は、耳たぶに面接触する当接面を有することを特徴とするイヤリング
【請求項５】
耳たぶを前後から挟み込むことによって耳たぶに固定されるイヤリングの留め具であって、
耳たぶの正面に当接する正面当接部と、
耳たぶの背面に当接するとともに、前記正面当接部と協働して耳たぶを挟み込む背面当接部と、
前記正面当接部および前記背面当接部の間に形成されるとともに、前記正面当接部と、前記背面当接部とを近接させる方向に付勢する付勢部とを備え、
前記正面当接部から耳たぶの下方を通って前記背面当接部まで至る形状に形成されることを特徴とするイヤリングの留め具。
【考案の詳細な説明】
【技術分野】
【０００１】
本考案は、イヤリングおよびイヤリングの留め具に関する。
【背景技術】
【０００２】
従来、耳たぶを前後から挟み込むことによって耳たぶに固定するイヤリングが知られている。
例えば、特許文献１に記載された耳飾り具（イヤリング）は、耳たぶの正面から下方を通って背面まで至る形状に形成される挟持体（留め具）と、この挟持体に取り付けられた装飾体とを備えている。そして、この耳飾り具は、挟持体の有する弾性力を以て耳たぶを前後から挟み込むことによって、耳たぶに固定されている。
【先行技術文献】
【特許文献】
【０００３】
【特許文献１】特開２０００−１５２８１２号公報
【考案の概要】
【考案が解決しようとする課題】
【０００４】
しかしながら、このような従来のイヤリングでは、耳たぶを挟み込む力は大きくないため、耳たぶから脱落しやすく、紛失しやすいという問題がある。
【０００５】
本考案の目的は、耳たぶから脱落しにくく、紛失しにくいイヤリングおよびイヤリングの留め具を提供することである。
【課題を解決するための手段】
【０００６】
本考案のイヤリングは、耳たぶを前後から挟み込むことによって耳たぶに固定されるイヤリングであって、耳たぶの正面から下方を通って背面まで至る形状に形成された留め具と、留め具に取り付けられた装飾具とを備え、留め具は、耳たぶの正面に当接する正面当接部と、耳たぶの背面に当接するとともに、正面当接部と協働して耳たぶを挟み込む背面当接部と、正面当接部および背面当接部の間に形成されるとともに、正面当接部と、背面当接部とを近接させる方向に付勢する付勢部とを備えることを特徴とする。
【０００７】
このような構成によれば、イヤリングは、耳たぶの正面に当接する正面当接部と、耳たぶの背面に当接するとともに、正面当接部と協働して耳たぶを挟み込む背面当接部とを近接させる方向に付勢する付勢部を備えるので、耳たぶを挟み込む力を大きくすることができる。したがって、本考案によれば、イヤリングを耳たぶから脱落しにくくすることができるとともに、イヤリングを紛失しにくくすることができる。
【０００８】
本考案では、付勢部は、耳たぶの左右方向を軸方向とする弦巻ばね状に留め具を形成することによって、正面当接部と、背面当接部とを近接させる方向に付勢することが好ましい。
【０００９】
このような構成によれば、付勢部は、弦巻ばね状に留め具の形状を加工することによって形成することができるので、留め具の構成を簡素にすることができる。また、付勢部は、耳たぶの左右方向を軸方向とする弦巻ばね状に形成されるので、正面当接部と、背面当接部とを離間させる方向に働く外力に対して留め具を変形しにくくすることができる。
【００１０】
本考案では、付勢部は、背面当接部側の位置に形成されていることが好ましい。
【００１１】
このような構成によれば、イヤリングを耳たぶに固定したときに、付勢部は、耳たぶの背後に位置することになるので、イヤリングを正面から見たときに耳たぶにて付勢部を隠すことができ、目立たないようにすることができる。したがって、イヤリングのデザイン性およびファッション性を向上させることができる。
【００１２】
本考案では、正面当接部および背面当接部の少なくともいずれか一方は、耳たぶに面接触する当接面を有することが好ましい。
【００１３】
このような構成によれば、イヤリングを耳たぶに固定したときに、耳たぶにかかる力を分散することができるので、付勢部の作用によって耳たぶを挟み込む力が大きくなっても耳たぶにかかる力を軽減することができ、耳たぶの痛みを緩和することができる。また、本考案によれば、当接面の面積を大きくすることによって、正面当接部および背面当接部の少なくともいずれか一方と、耳たぶとの間の摩擦力を大きくすることができるので、付勢部の作用との相乗効果によってイヤリングを耳たぶから更に脱落しにくくすることができるとともに、イヤリングを更に紛失しにくくすることができる。
【００１４】
本考案のイヤリングの留め具は、耳たぶを前後から挟み込むことによって耳たぶに固定されるイヤリングの留め具であって、耳たぶの正面に当接する正面当接部と、耳たぶの背面に当接するとともに、正面当接部と協働して耳たぶを挟み込む背面当接部と、正面当接部および背面当接部の間に形成されるとともに、正面当接部と、背面当接部とを近接させる方向に付勢する付勢部とを備え、正面当接部から耳たぶの下方を通って背面当接部まで至る形状に形成されることを特徴とする。
【００１５】
このような構成によれば、イヤリングの留め具は、耳たぶの正面に当接する正面当接部と、耳たぶの背面に当接するとともに、正面当接部と協働して耳たぶを挟み込む背面当接部とを近接させる方向に付勢する付勢部を備えるので、耳たぶを挟み込む力を大きくすることができる。したがって、本考案によれば、イヤリングの留め具を耳たぶから脱落しにくくすることができるとともに、イヤリングの留め具を紛失しにくくすることができる。
【図面の簡単な説明】
【００１６】
【図１】本考案の一実施形態に係るイヤリングの正面図
【図２】イヤリングの背面図
【図３】イヤリングの左側面図
【図４】イヤリングの右側面図
【図５】イヤリングの平面図
【図６】イヤリングの底面図
【図７】イヤリングを耳たぶに装着した状態を正面側から見た図
【図８】イヤリングを耳たぶに装着した状態を背面側から見た図
【考案を実施するための形態】
【００１７】
以下、本考案の一実施形態を図面に基づいて説明する。
図１〜図６は、本考案の一実施形態に係るイヤリングの六面図である。具体的には、図１は、イヤリングの正面図であり、図２は、イヤリングの背面図であり、図３は、イヤリングの左側面図であり、図４は、イヤリングの右側面図であり、図５は、イヤリングの平面図であり、図６は、イヤリングの底面図である。
【００１８】
イヤリング１は、図１〜図６に示すように、細長い糸状の金属を湾曲させることによって全体として略Ｕ字状に形成された留め具２と、この留め具２における正面側の先端に取り付けられた球状の装飾具３とを備えている。
なお、本実施形態では、装飾具３は、球状に形成されるとともに、留め具２における正面側の先端に取り付けられているが、装飾具は、これ以外の形状であってもよく、これ以外の位置に取り付けられていてもよい。例えば、チェーンを介して宝石を留め具に取り付けることによって装飾具としてもよい。
【００１９】
留め具２は、正面側の端部に形成される正面当接部２１と、背面側の端部に形成されるとともに、正面当接部２１と協働して耳たぶを挟み込む背面当接部２２とを備えている。この留め具２は、正面当接部２１と、背面当接部２２とで耳たぶを前後から挟み込むことによって耳たぶに固定される。換言すれば、留め具２は、正面当接部２１（耳たぶの正面）から下方を通って背面当接部２２（耳たぶの背面）まで至る湾曲した形状に形成されている。なお、留め具２は、正面当接部２１と、背面当接部２２との前後間隔を他の部位の前後間隔と比較して最も狭くするようにして形成されている。
【００２０】
正面当接部２１は、背面を凸球面とする略円盤状に形成された耳たぶの正面に当接する部位であり、留め具２の湾曲した形状に沿って設けられている。この正面当接部２１の背面は、耳たぶの正面に面接触する当接面として機能する。
背面当接部２２は、正面を凸球面とする略円盤状に形成された耳たぶの背面に当接する部位であり、留め具２の湾曲した形状に沿って設けられている。この背面当接部２２の正面は、耳たぶの背面に面接触する当接面として機能する。なお、この背面当接部２２の当接面の面積は、正面当接部２１の当接面の面積と比較して大きい。
【００２１】
また、留め具２は、正面当接部２１および背面当接部２２の間に形成された付勢部２３を備えている。
付勢部２３は、耳たぶの左右方向を軸方向とする弦巻ばね状に留め具２を形成することによって、正面当接部２１と、背面当接部２２とを近接させる方向に付勢する。この付勢部２３は、背面当接部２２側の位置に形成されている。
【００２２】
ここで、付勢部２３は、背面当接部２２側の位置に形成されているので、付勢部２３と、背面当接部２２との間の距離は、付勢部２３と、正面当接部２１との間の距離よりも短くなり、背面当接部２２から耳たぶに加わる力は、正面当接部２１から耳たぶに加わる力よりも大きくなる。本実施形態では、背面当接部２２の当接面の面積は、正面当接部２１の当接面の面積と比較して大きいので、正面当接部２１および背面当接部２２から耳たぶに加わる単位面積当たりの力を略一定にすることができる。したがって、本実施形態によれば、イヤリング１は、装着感を損なうことなく、耳たぶを挟み込む力を大きくすることができる。
【００２３】
図７は、イヤリング１を耳たぶに装着した状態を正面側から見た図である。図８は、イヤリング１を耳たぶに装着した状態を背面側から見た図である。
イヤリング１を耳たぶに装着するには、図７および図８に示すように、正面当接部２１および背面当接部２２にて耳たぶを前後から挟み込むことによって耳たぶに留め具２を固定する。ここで、付勢部２３は、背面当接部２２側の位置に形成されているので、イヤリング１を正面から見たときには、耳たぶにて付勢部２３を隠すことができ、目立たないようにすることができる。
【００２４】
このような本実施形態によれば、以下の作用・効果を奏することができる。
（１）イヤリング１は、耳たぶの正面に当接する正面当接部２１と、耳たぶの背面に当接するとともに、正面当接部２１と協働して耳たぶを挟み込む背面当接部２２とを近接させる方向に付勢する付勢部２３を備えるので、耳たぶを挟み込む力を大きくすることができる。したがって、本実施形態によれば、イヤリング１を耳たぶから脱落しにくくすることができるとともに、イヤリング１を紛失しにくくすることができる。
【００２５】
（２）付勢部２３は、弦巻ばね状に留め具２の形状を加工することによって形成することができるので、留め具２の構成を簡素にすることができる。また、付勢部２３は、耳たぶの左右方向を軸方向とする弦巻ばね状に形成されるので、正面当接部２１と、背面当接部２２とを離間させる方向に働く外力に対して留め具２を変形しにくくすることができる。
（３）イヤリング１を耳たぶに固定したときに、付勢部２３は、耳たぶの背後に位置することになるので、イヤリング１を正面から見たときに耳たぶにて付勢部２３を隠すことができ、目立たないようにすることができる。したがって、イヤリング１のデザイン性およびファッション性を向上させることができる。
【００２６】
（４）正面当接部２１および背面当接部２２は、耳たぶに面接触する当接面を有するので、イヤリング１を耳たぶに固定したときに、耳たぶにかかる力を分散することができる。したがって、付勢部２３の作用によって耳たぶを挟み込む力が大きくなっても耳たぶにかかる力を軽減することができ、耳たぶの痛みを緩和することができる。また、当接面の面積を大きくすることによって、正面当接部２１および背面当接部２２と、耳たぶとの間の摩擦力を大きくすることができるので、付勢部２３の作用との相乗効果によってイヤリング１を耳たぶから更に脱落しにくくすることができるとともに、イヤリング１を更に紛失しにくくすることができる。
【００２７】
なお、本考案は前記実施形態に限定されるものではなく、本考案の目的を達成できる範囲での変形、改良等は本考案に含まれるものである。
例えば、前記実施形態では、留め具２は、細長い糸状の金属を湾曲させることによって全体として略Ｕ字状に形成されていたが、これ以外の材質や形状であってもよく、例えば、樹脂などを加工することによって形成してもよい。要するに、留め具は、耳たぶの正面から下方を通って背面まで至る形状に形成されていればよい。
【００２８】
前記実施形態では、付勢部２３は、耳たぶの左右方向を軸方向とする弦巻ばね状に留め具２を形成することによって、正面当接部２１と、背面当接部２２とを近接させる方向に付勢していたが、これ以外の形状であってもよい。例えば、付勢部２３の巻き数を増加させてもよく、付勢部２３を複数の位置に形成してもよい。要するに、付勢部は、正面当接部と、背面当接部とを近接させる方向に付勢することができればよい。
前記実施形態では、付勢部２３は、背面当接部２２側の位置に形成されていたが、正面当接部２１側の位置に形成されていてもよく、正面当接部２１および背面当接部２２の略中央位置に形成されていてもよい。要するに、付勢部は、正面当接部および背面当接部の間に形成されていればよい。
【００２９】
前記実施形態では、正面当接部２１は、耳たぶの正面に面接触する当接面を有し、背面当接部２２は、耳たぶの背面に面接触する当接面を有していたが、これらの当接面は、正面当接部および背面当接部のいずれか一方のみに形成されていてもよい。また、正面当接部および背面当接部は、当接面を有していなくてもよく、例えば、細長い糸状の金属のままであってもよい。要するに、留め具は、耳たぶの正面に当接する正面当接部と、耳たぶの背面に当接するとともに、正面当接部と協働して耳たぶを挟み込む背面当接部とを備えていればよい。
【産業上の利用可能性】
【００３０】
以上のように、本考案は、イヤリングおよびイヤリングの留め具に広く適用できる。
【符号の説明】
【００３１】
１      イヤリング
２      留め具
３      装飾具
２１    正面当接部
２２    背面当接部
２３    付勢部
【図１】
0003183834.tif 000003
【図２】
0003183834.tif 000004
【図３】
0003183834.tif 000005
【図４】
0003183834.tif 000006
【図５】
0003183834.tif 000007
【図６】
0003183834.tif 000008
【図７】
0003183834.tif 000009
【図８】
0003183834.tif 000010